(57)【要約】【課題】簡単な構成でドラグフリー状態とドラグＭＡＸ状態との間の切換え操作を行なう際の操作量を減らすことができ、かつドラグ力の適度な微調整範囲を確保したドラグ機構を有する魚釣用スピニングリールを提供する。【解決手段】本発明の魚釣用スピニングリールは、ロータと、ロータの回転によって釣糸が巻回保持されるスプール５と、スプール５の釣糸巻取り状態時における釣糸繰り出し方向へのスプール５の回転を許容するドラグ機構１０と、ドラグ機構１０の摩擦結合力を調整可能とするドラグ調節体２０とを備える。そして、ドラグ機構１０は、材質が異なる複数種類のライニング材４５，４６と、これら複数種類のライニング材が当て付く複数の相手材５１，５２とを具備した制動部材４０を有しており、制動部材４０における少なくともライニング材の配列を、その配列の中心に位置するライニング材４６に対して、軸方向に対称としたことを特徴とする。【選択図】    図３
2006197890.tif 000002
【特許請求の範囲】
【請求項１】
リール本体に回転可能に支持され、リール本体に装着されたハンドルの回転操作で回転駆動されるロータと、前記リール本体に前後動可能に支持され、前記ロータの回転によって釣糸が巻回保持されるスプールと、前記スプールの釣糸巻取り状態時における釣糸繰り出し方向へのスプールの回転を許容すべく、前記リール本体に支持されたスプール軸に対してスプールを摩擦結合するドラグ機構と、前記ドラグ機構の摩擦結合力を調整可能とするドラグ調節体とを備えた魚釣用スピニングリールにおいて、
前記ドラグ機構は、材質が異なる複数種類のライニング材と、これら複数種類のライニング材が当て付く複数枚の相手材とを具備した制動部材を有しており、
前記制動部材における少なくともライニング材の配列を、その配列の中心に位置するライニング材又は相手材に対して、軸方向に対称としたことを特徴とする魚釣用スピニングリール。
【請求項２】
前記複数種類のライニング材は、前記ドラグ調節体による調整時に圧縮変形を許容する材料によって構成された第１のライニング材と、第１のライニング材よりも圧縮変形し難い材料によって構成された第２のライニング材とを有することを特徴とする請求項１に記載の魚釣用スピニングリール。
【請求項３】
前記ドラグ機構のドラグ調節体は、微調整用の圧縮バネを備えていないことを特徴とする請求項１又は２に記載の魚釣用スピニングリール。
【請求項４】
リール本体に回転可能に支持され、リール本体に装着されたハンドルの回転操作で回転駆動されるロータと、前記リール本体に前後動可能に支持され、前記ロータの回転によって釣糸が巻回保持されるスプールと、前記スプールの釣糸巻取り状態時における釣糸繰り出し方向へのスプールの回転を許容すべく、前記リール本体に支持されたスプール軸に対してスプールを摩擦結合するドラグ機構と、前記ドラグ機構の摩擦結合力を調整可能とするドラグ調節体とを備えた魚釣用スピニングリールにおいて、
前記ドラグ機構は、軸方向の圧縮変形量が異なる少なくとも２種類のライニング材と、これら少なくとも２種類のライニング材が当て付く複数枚の相手材とを具備した制動部材を有しており、
前記制動部材は、ドラグＭＡＸ状態とドラグフリー状態との切換え範囲が前記ドラグ調節体の回転操作角度で５４０±２０°〜９００±２０°にあることを特徴とする魚釣用スピニングリール。
【請求項５】
前記制動部材を構成するライニング材及び相手材は、配列の中心に位置する部材に対して、軸方向に対称な配列としたことを特徴とする請求項４に記載の魚釣用スピニングリール。
【発明の詳細な説明】
【技術分野】
【０００１】
本発明は、魚釣用スピニングリールに関し、詳細には、ドラグ機構に特徴を有する魚釣用スピニングリールに関する。
【背景技術】
【０００２】
従来、魚釣用スピニングリールは、リール本体に回転可能に支持されたハンドルの回転操作で、リール本体に回転可能に支持されたロータを駆動し、前後動可能なスプール軸に支持されたスプールに釣糸を巻回保持するべく構成されている。そして、前記スプールは、釣糸巻取り状態時における釣糸繰り出し方向のスプールの回転を許容すべく、ドラグ機構を介してスプール軸に支持されており、前記ドラグ機構は、ライニング材及びライニング材が当て付くＳＵＳ等の相手材によって摩擦結合力を生じさせる制動部材（ライニング材及び相手材で構成されるドラグワッシャ）、及び制動部材における摩擦力を調整可能にする調節体を備えた構成が一般的となっている。
【０００３】
前記のドラグ機構に用いられるライニング材は、用途に応じて様々な材質が用いられており、一般的には、低コスト・広い調整幅・微調節が容易などの理由から羊毛フェルトを用いることが多い。しかし、羊毛フェルトの場合、耐力が得難いことから、従来のスピニングリールでは、ライニング材と相手材とを複数枚とした多板構成とすることで、調整範囲を広くし、かつドラグ耐力を向上させる手法が用いられている。
【０００４】
本来のドラグ機構に求められる性能は、上記した多板構成で充分に満足できるものであるが、時代と共に様々な釣法が確立されている。例えば、近年においては、ドラグの調節体を操作してドラグフリーの状態で魚信（当たり）を待ち、魚の当たり後に調節体を一気に締め込んで（ドラグＭＡＸ状態）アワセを行った後、仕掛けを巻き上げる釣法が知られている。
【０００５】
このようなドラグフリー状態とドラグＭＡＸ状態を切換える切換え操作を行なうに当たっては、ドラグ機構の制動部材を上記したように多板構成としたスピニングリールでは、ドラグフリー状態からドラグＭＡＸ状態までの調節体の操作量が増えるため、素早くフリー状態とＭＡＸ状態の切換えが行なえないという問題がある。
【０００６】
そこで、このような問題を解決するために、例えば、特許文献１には、ドラグ機構に、ドラグ力微調整のための第１の調節体と、ドラグ力粗調整のための第２の調節体とを併設し、ドラグ力の微調整を第１の調節体で、ドラグフリー状態とドラグＭＡＸ状態の素早い切換えを第２の調節体で夫々行なう構成が開示されている。また、例えば、特許文献２には、ドラグ力の微調整用操作部と、ドラグフリー状態とドラグＭＡＸ状態の切換え操作のための粗調整用操作部とを単一の調節体に形成することで、調節体の操作性を向上させて迅速な操作が行なえる構成が開示されている。
【特許文献１】実用新案登録第３０１５６７７号
【特許文献２】特開２００３−２７４８２６号
【発明の開示】
【発明が解決しようとする課題】
【０００７】
しかし、上記した特許文献１に開示されている構成は、第１及び第２の調節体といった複数の調節体を必要とするので、構造や操作が複雑になる上に部品点数が多くなり、コストが増加してしまう。更に、部品点数が多いことから、スプール側の重量が増えて実釣時に竿先側が重くなってしまい、長時間の釣りで疲労感が蓄積されてしまうという問題がある。
【０００８】
また、上記した特許文献２に開示されている構成は、微調整と粗調整との間で操作性の向上は図れるものの、調節体の操作量自体は減らないため、ドラグフリー状態とドラグＭＡＸ状態との間の切換え操作が素早く行なえないという問題がある。
【０００９】
ところで、ドラグ力は、調節体を回転操作した際に調節体が軸方向に移動し、ライニング材と相手材との間の軸方向の押圧力が変化することで調整される。上記したように、一般的に用いられているフェルト材は、軸方向に対する圧縮変形量が大きいため、調節体を緩めても、その変形量が大きく相手材に対して接触状態が維持されており、これが調節体の操作量を多くしている原因となっている。
【００１０】
そのため、ドラグ機構のライニング材の材質を、ドラグフリー状態からドラグＭＡＸ状態に切換え操作するに際し、軸方向の圧縮変形量が小さく、かつドラグフリーの状態の回転抵抗がフェルトより少ないものを用いることが考えられる。すなわち、例えば、強化性樹脂を含浸した織布や不織布、及び熱硬化樹脂に添加剤を混入して固めたコンポジット材及びグラファイト材など、圧縮による弾性変形が少ないライニング材を用いることで、調節体を緩めた際、軸方向の弾性変形量が少ないことから、相手材から離反し易くなり、僅かな操作量で容易にドラグフリー状態に切換えできるものと考えられる。
【００１１】
しかしながら、単にライニング材を硬質材料で構成するだけでは、調節体の操作量が僅かでもドラグ力が大きく変化してしまい、微調整範囲が狭くなってしまう。すなわち、切換え操作は素早く行なえるものの、微調整操作が困難になってしまう。
【００１２】
本発明は、上記した問題に基づいてなされたものであり、簡単な構成でドラグフリー状態とドラグＭＡＸ状態との間の切換え操作を行なう際の操作量を減らすことができ、かつドラグ力の適度な微調整範囲を確保したドラグ機構を有する魚釣用スピニングリールを提供することを目的とする。
【課題を解決するための手段】
【００１３】
上記した目的を達成するために、本発明に係る魚釣用スピニングリールは、リール本体に回転可能に支持され、リール本体に装着されたハンドルの回転操作で回転駆動されるロータと、前記リール本体に前後動可能に支持され、前記ロータの回転によって釣糸が巻回保持されるスプールと、前記スプールの釣糸巻取り状態時における釣糸繰り出し方向へのスプールの回転を許容すべく、前記リール本体に支持されたスプール軸に対してスプールを摩擦結合するドラグ機構と、前記ドラグ機構の摩擦結合力を調整可能とするドラグ調節体とを備え、前記ドラグ機構は、材質が異なる複数種類のライニング材と、これら複数種類のライニング材が当て付く複数枚の相手材とを具備した制動部材を有しており、前記制動部材における少なくともライニング材の配列を、その配列の中心に位置するライニング材又は相手材に対して、軸方向に対称としたことを特徴とする。
【００１４】
上記した構成によれば、ドラグ機構の制動部材として、材質が異なる複数種類のライニング材を用いることで、ある程度のドラグ力の微調整が行なえると共に、ドラグフリー状態とドラグＭＡＸ状態との間の切換え操作に伴う操作量を少なくすることが可能となる。具体的には、例えば、圧縮方向に弾性変形し易い材料と弾性変形し難い材料を組み合わせることで、弾性変形し易い材料のみで構成した場合と比較して、上記した切換え操作に伴う操作量を少なくすることが可能となり、また、弾性変形し難い材料のみで構成した場合と比較して、ドラグ微調整の幅を広げることが可能になる。すなわち、ドラグ力の微調整が可能で、かつドラグフリー状態とドラグＭＡＸ状態との間の切換え操作に伴う操作量が少ないドラグ機構を有するスピニングリールが得られる。また、上記したように、制動部材の少なくともライニング材の配列が、その配列の中心に位置するライニング材又は相手材に対して、軸方向に対称となっているため、ドラグ作動時における回転ムラを解消でき、スティックスリップ現象が抑制される。
【００１５】
また、本発明に係る魚釣用スピニングリールは、リール本体に回転可能に支持され、リール本体に装着されたハンドルの回転操作で回転駆動されるロータと、前記リール本体に前後動可能に支持され、前記ロータの回転によって釣糸が巻回保持されるスプールと、前記スプールの釣糸巻取り状態時における釣糸繰り出し方向へのスプールの回転を許容すべく、前記リール本体に支持されたスプール軸に対してスプールを摩擦結合するドラグ機構と、前記ドラグ機構の摩擦結合力を調整可能とするドラグ調節体とを備えており、前記ドラグ機構は、軸方向の圧縮変形量が異なる少なくとも２種類のライニング材と、これら少なくとも２種類のライニング材が当て付く複数枚の相手材とを具備した制動部材を有しており、前記制動部材は、ドラグＭＡＸ状態とドラグフリー状態との切換え範囲が前記ドラグ調節体の回転操作角度で５４０±２０°〜９００±２０°にあることを特徴とする。
【００１６】
上記したように、ライニング材に、複数種類（軸方向に圧縮変形量が異なる材料）のものを用いることで、ドラグ力の微調整が可能で、かつドラグフリー状態とドラグＭＡＸ状態との間の切換え操作に伴う操作量が少ないドラグ機構を有するスピニングリールが得られる。この場合、ドラグ調節体の回転操作は、釣人の咄嗟の操作状態を考慮すると、１回の回転操作（ここでは１回転と定義する）は、専ら略１８０°前後となっており、操作感覚からすると、このような１回転の整数倍の回転量を感知し易いと考えられる（ただし、回転量が多くなりすぎると、現在のドラグ状態を把握し辛くなる）。そこで、ドラグＭＡＸ状態とドラグフリー状態との切換え角度を略４回転±１回転（７２０°±１８０°；５４０°〜９００°）の範囲内に設定しておくことにより、切換え時において、釣人は現在のドラグ状態を容易に把握し易くなると共に、素早い切換え操作が行なえるようになる。また、その範囲が略３回転程度であれば、ある程度のドラグ力の微調整も可能となる。なお、上記した範囲は、３回転〜５回転であるが、夫々±２０°程度の幅を持たせてあっても良い。
【００１７】
また、上述した構成において、ドラグのフリー状態とは、ドラグ調節体の押圧力が制動部材に作用しない状態を意味する。このとき、ドラグのトルク（フリートルクと定義する）は、釣糸の張力（ｇｆ）で慣例的に表現される。なお、フリートルクは、ライニング材やグリス等に依存する傾向がある。
【発明の効果】
【００１８】
本発明によれば、簡単な構成でドラグフリー状態とドラグＭＡＸ状態との間の切換え操作を行なう際の操作量を減らすことができ、かつドラグ力の適度な微調整範囲を確保したドラグ機構を有する魚釣用スピニングリールが得られる。
【発明を実施するための最良の形態】
【００１９】
以下、本発明に係る魚釣用リールのドラグ機構の実施形態を添付図面に沿って具体的に説明する。  
図１乃至図３は、本発明の一実施形態を示す図であり、図１は、魚釣用スピニングリールの全体構成を示す図、図２は、スプールに装着されるドラグ機構の部分の構造を拡大して示す断面図、図３は、制動部材の配置構成例を示す図である。また、図４は、ドラグ力とドラグ調節体の回転角の関係を示すグラフである。
【００２０】
図に示すスピニングリール１は、釣竿１００のリールシート１０１に装着するための脚部２ａが形成されたリール本体２と、リール本体前方に回転可能に配されたロータ３と、ロータ３の回転運動と同期して前後動可能に支持されたスプール５とを有している。
【００２１】
前記ロータ３には、一対のベール支持部材３ａ（片方のみ図示）が設けられており、各支持部材３ａの先端には、ベール３ｂを保持したベール支持アーム（図示せず）が釣糸巻取り位置と釣糸放出位置との間で反転可能に支持されている。また、リール本体２には、ハンドル７が回転可能に装着されており、この回転操作によって、前記ロータ３は回転駆動されると共に、スプール５は往復駆動され、釣糸は、ベール３ｂの一方の基端部側に設けられた釣糸案内部（図示せず）を介してスプール５に均等に巻回されるようになっている。
【００２２】
前記ロータ３は、ハンドル７の回転操作によって回転駆動される回転筒軸の前端部に固定されており、前記スプール５は、ハンドル７の回転操作によって往復駆動されるスプール軸９の先端部に回転可能に支持されている。この場合、スプール軸９は、前記回転筒軸の内部に挿通されており、公知のオシレート機構によってハンドルの回転操作に伴って前後動可能となっている。
【００２３】
前記スプール５とスプール軸９との間には、ドラグ機構１０が配設されており、スプール軸９に回転可能に支持されたスプール５に対して所望の制動力、すなわち、釣糸巻取り状態において、スプール５に巻回された釣糸が繰り出された際に、スプール５に対して所望の制動力（ドラグ力）を与えるようになっている。
【００２４】
前記ドラグ機構１０は、ドラグ力の強弱の調整が行なえるように、前記スプール軸９の先端に形成された雄ネジ部９ａに螺合する回転操作可能なドラグ調節体２０（以下、調節体）と、調節体２０とスプール５との間に介在される制動部材４０とを備えている。
【００２５】
本実施形態の調節体２０の本体２１は、スプール５の前端に形成された円形凹所５ａを閉塞するように、リール前方から見て円形状に形成されており、その表面には、直径方向に延出する堤状の操作部２２が形成されている。また、前記調節体２０の裏面側の中央には、前記雄ネジ部９ａに螺合するナット２４が固定されると共に、そのナット２４を囲繞するようにして円筒状の押圧体２５が突出するように固定されている。この押圧体２５の先端部には、中心にスプール軸の先端が挿通される円形開口２５ｂを備えた押圧部２５ａが形成されており、調節体２０を回転操作した際に、調節体と共に螺進、螺退する押圧部２５ａが後述する制動部材４０に押圧力を付与するようになっている。また、押圧体２５の外周面の一部には、開口が形成されており、この部分からクリックバネ２７を突出させ、後述する制動部材４０の一部を構成するクリック爪車５１Ａ（相手材５１）に弾発係止させることで、調節体２０の回転に節度を与えると共に、弛緩防止機能を与えている。
【００２６】
前記制動部材４０は、スプール５の円形凹所５ａ内の中央領域に突出形成された円筒収容部５ｂ内に収容されており、実際に制動力を発揮する複数枚の円板状のライニング材と、各ライニング材が当て突く円板状の複数枚の相手材とを備えて構成されている。この場合、相手材は、スプール軸９に対して回り止め固定されるもの、及びスプール５に対して回り止め固定されるものがあり、ライニング材については、各相手材に介在されて、相手材と面接して摩擦力を生じさせ、これによりスプール５とスプール軸９との間で制動力を生じさせるようになっている。
【００２７】
上記した制動部材４０の構成において、本実施形態では、ライニング材を、材質が異なる複数種類（ここでは２種類）のもので構成している。具体的には、その一つである第１ライニング材（符号４５で示す）は、一般的に用いられているフェルト材で形成されており、別のものである第２ライニング材（符号４６で示す）は、本件特許出願人の先の出願である特願２００２−６３４９１号にも開示されているように、例えば、パルプをベースにして合成樹脂を含浸させ、これを熱硬化することで形成されている（ファイバーコンポジット材；ＦＣ材）。
【００２８】
また、各ライニング材４５，４６が当て付く相手材については、耐久性に優れた金属材料、例えばＳＵＳ等によって形成されており、前記スプール５、又はスプール軸９に対して回り止め固定されている。この場合、スプール軸９に対して回り止め固定される相手材（符号５１で示す）は、断面非円形の嵌合関係でスプール軸９に対して回り止め固定されており、スプール５に対して回り止め固定される相手材（符号５２で示す）は、外周に係合片５２ａが形成され、これが前記円筒収容部５ｂの内面に形成された長溝５ｃに嵌合することでスプール５に対して回り止め固定される。
【００２９】
上記した制動部材４０は、図３に示すように、ライニング材及び相手材が軸方向に沿って配列されているが、本実施形態においては、その配列の中心に位置する部材、ここでは第２ライニング材４６（矢印Ａで示す）に対して、少なくともライニング材（本実施形態では、ライニング材及び相手材）が軸方向に対称となるように配列されている。すなわち、符号Ａで示す第２ライニング材４６を中心にして、調節体２０側、及びスプール５側に向けて、順に、（相手材５１，５２）、（第２ライニング材４６，４６）、（相手材５２，５１）、（第１ライニング材４５，４５）、（相手材５１，スプール端面５ｄ）となっており、制動部材４０全体として、配列の中心に位置する部材に対して、各部材の配置態様が対称となるような構成となっている。なお、対称に配列される相手材に関しては、それがスプール軸に固定されていても良いし、スプールに固定されていても良い。
【００３０】
また、上述したように、右端に設置される相手材５１（５１Ａ）については、クリック爪車としての機能を備えており、このクリック爪車５１Ａの外周には、それを補強するように、必要に応じて補強リング５５が装着されている。そして、上記したように配列される制動部材４０は、円筒収容部５ｂ内に収容されると共に、円筒収容部５ｂの先端に形成されたリング状の係合溝５ｆに抜け止めリング５６を嵌め込むことで抜け止め装着されている。
【００３１】
上記した構成のドラグ機構１０において、ドラグ力を調整すべく、調節体２０の操作部２２を摘んで回転操作すると、調節体２０が雄ネジ部９ａとナット２４の螺合関係により螺進、螺退し、調節体２０に設けられた押圧体２５の押圧部２５ａが相手材５１（５１Ａ）に押圧力を付与し、スプールの釣糸巻取り状態時における釣糸繰り出し方向へのスプール５の回転に、所望の制動力（ドラグ力）を付与する。
【００３２】
この場合、上記したように、ライニング材として、材質が異なるものを複数用いたことにより、単一の材質を多板にしたものと異なるドラグ特性、すなわち、両者の特性が発揮できる幅広いドラグ特性を得ることが可能になる。また、上記したように、制動部材４０を、中心の部材に対して対称配置したことから、ドラグ作動時における回転ムラが解消できるようになり、スティックスリップ現象を抑止することが可能となる。さらに、ライニング材の特性が切換わる領域においても、部分的に高い摩擦力を生じることが無く、ドラグ機構１０全体に摩擦力が分散されるので、ライニング材の特性の移行がスムーズになり、摩擦特性の変化に段差が生じなくなる。
【００３３】
そして、本実施形態における上記の第１ライニング材４５と、第２ライニング材４６の特性を比較すると、第１ライニング材４５は、軸方向の弾性変形量（圧縮変形量）が大きいことから、調節体２０を回転操作して緩めた際に、相手材に対する押圧力の低下が少ないという性質がある。すなわち、調節体２０を緩めたときに相手材から離反し難いため、微調整の範囲は広がるものの、ドラグ力を緩めてドラグフリー状態にするに当たっては、調節体２０（押圧体２５）の軸方向移動量を大きくしなければならない（調節体２０の回転操作量を多くしなければならない）という特徴がある。一方、第２ライニング材４６は、先の出願に開示されているように、安価な構成でスティックスリップ性能の向上が図れると共に、パルプをベースにし、かつ熱硬化性樹脂で硬化させていることから、軸方向の弾性変形量（圧縮変形量）が小さいという性質がある。すなわち、調節体２０を緩めたときに相手材から離反し易いため、微調整の範囲は狭いものの、調節体２０の回転操作量が少なくても、ドラグ力を容易に低下させることができるという特徴がある。
【００３４】
このような異なる特性を有する複数種類のライニング材を組み合わせることにより、上記した作用効果に加えて、ＦＣ材による硬質なライニング材（圧縮変形し難いライニング材）を用いたときの特徴である、高耐力で、フリードラグ状態／ＭＡＸドラグ状態の素早い切換え操作が可能になるという特性と、圧縮変形し易い弾力性を有するフェルトによるライニング材を用いたときの特徴である、微調整がし易く、低摩擦時におけるスティックスリップ性能の向上が図れる等の特性とを併せ持ったドラグ機構が得られるようになる。そして、上記したような制動部材の配列により、夫々のライニング材の特性が切換わる領域での移行をスムーズにすることができるため、ドラグフリー状態からドラグＭＡＸ状態までの調節体２０の回転操作量を少なくしながら、ドラグフリー領域近傍の微調整が可能になる。さらに、上記した構成においては、特許文献１にあるような微調整用の調節体、及び粗調整用の調節体を設けないことから、ドラグ力の調整操作が容易であると共に、構成も簡略化され、長時間の操作でも持ち重り感が生じることもない。
【００３５】
具体的に、上記した実施形態における制動部材４０（２枚の第１ライニング材４５、３枚の第２ライニング材４６）を組み込んだドラグ機構と、５枚の第１ライニング材（フェルト材）４５で構成される制動部材を組み込んだドラグ機構と、５枚の第２ライニング材（ＦＣ材）４６で構成される制動部材を組み込んだドラグ機構とについて、調節体２０の回転操作量とドラグ力の変化を測定した比較試験を行なったところ、図４に示すような測定結果が得られた。
【００３６】
５枚の第１ライニング材（フェルト材）４５で構成される制動部材を組み込んだドラグ機構では、符号Ｄ１に示すように、ドラグＭＡＸ状態からドラグフリー状態にするまでの調節体２０の回転操作量θは、略１４４０°必要となり、堤状の操作部２２を８回転（１回転操作を１８０°とする）しなければならず、このような回転操作量では、微調整範囲は確保されるものの、素早い切換え操作を行なうことは困難である。また、ドラグフリー状態においても、僅かにドラグ力（ｆ２）が作用していることから、ドラグフリー特性にも劣ってしまう。一方、５枚の第２ライニング材（ＦＣ）４６で構成される制動部材を組み込んだドラグ機構では、符号Ｄ２に示すように、ドラグＭＡＸ状態からドラグフリー状態にするまでの調節体２０の回転操作量は、略３６０°であることから、堤状の操作部２２は２回転で済み、素早い切換え操作は確保されるものの、ドラグ力の微調整を行なうことは困難である。
【００３７】
これに対し、上記した実施形態の制動部材４０を組み込んだドラグ機構によれば、符号Ｄで示すように、ドラグＭＡＸ状態からドラグフリー状態にするまでの調節体２０の回転操作量は、７２０°（４回転）であることから、比較的素早い切換え操作が可能になると共に、ある程度の微調整のための範囲が確保され、ドラグフリー特性も向上する（ｆ１＜ｆ２）ことから、操作性に優れた構成となる。
【００３８】
なお、上記したドラグ機構の特性は、制動部材に用いられるライニング材の材質や設置枚数に応じて適宜変形されるものであるが、一般的に、ドラグ調節体の回転操作は、釣人の操作感覚を考慮すると、１回転の整数倍（ここでの１回転は１８０°）を感知し易くなっている。すなわち、操作部２２を摘んで咄嗟に回転操作を行なう際、１回の回転操作では、略１８０°の回転操作が行なわれることが多く、釣人は、感覚的に、堤状の操作部２２の方向性を把握している。このため、ドラグＭＡＸ状態とドラグフリー状態との切換え角度を、比較的感知し易い整数倍の回転回数で、所定の角度の範囲内に設定しておくことで、現在のドラグ状況を容易に把握することが可能になる。具体的には、切換え角度θが、略４回転（７２０°）±１回転程度（５４０°〜９００°）の範囲内となるように制動部材４０を構成しておくことにより、切換え操作時において、釣人は現在のドラグ状態を容易に把握し易くなると共に、素早い切換え操作が行なえるようになる。なお、３回転した際、或は４回転した際に、多少の誤差、例えば、±２０°程度の誤差があっても差し支えない。
【００３９】
また、上記したドラグ機構の構成において、従来、調節体２０の部分に設置され、ナット部分を押圧付勢する微調整用の圧縮バネを排除しておくことが好ましい（上記した実施形態では、そのような圧縮バネは設置されていない）。
【００４０】
このように圧縮バネを排除しておくことで、上述した作用効果に加え、ドラグＭＡＸ状態からドラグフリー状態への調節体の切換え操作量を効果的に少なくすることが可能となる。すなわち、低摩擦領域での微調整を、弾力性を有するライニング材の弾性力で補うことが可能になるため、調節体の操作量を減らしながら、ドラグフリー領域近傍の微調整が可能になると共に、ドラグフリー状態時におけるドラグ力をより低下させて、ドラグフリーの特性をより向上することが可能になる。
【００４１】
なお、本実施形態においては、上記したフリートルク（ｆ１）が２００ｇｆ以下、好ましくは１００ｇｆ以下となるべく、ライニング材を選択している。すなわち、上述したライニング材の構成によって、このような数値のフリートルク状態を容易に実現することが可能となる。
【００４２】
以上、本発明の実施形態について説明したが、本発明は、上記した実施形態に限定されることはなく、種々変形することが可能である。例えば、ライニング材の材質、種類（３種類以上あっても良い）、配列等については、適宜変形することが可能である。例えば、図５に示す実施形態のように、配列の中心に位置する第２ライニング材４６（矢印Ａで示す）に対して、軸方向に対称となるように、調節体２０側、及びスプール５側に向けて、順に、（相手材５１，５２）、（第１ライニング材４５，４５）、（相手材５２，５１）、（第２ライニング材４６，４６）、（相手材５１，スプール端面５ｄ）としたり、或いは、図６に示す実施形態のように、配列の中心に位置する第２ライニング材４６（矢印Ａで示す）に対して、軸方向に対称となるように、調節体２０側、及びスプール５側に向けて、順に、（相手材５２，５１）、（第２ライニング材４６，４６）、（相手材５１，５２）、（第１ライニング材４５，４５）、（相手材５２，５１）、（第２ライニング材４６，４６）、（相手材５１，スプール端面５ｄ）にする等、より多板にした構成としても良い。
【００４３】
また、制動部材４０の配列については、中心に位置する部材は、相手材５１，５２であっても良いし、上述したように、構成部材が正確に対称となるような配置になっていなくても良い。すなわち、ライニング材の構成に応じて（例えば、材質や厚さ等の違い）、上述した配置態様については、適宜変形しても良い。
【図面の簡単な説明】
【００４４】
【図１】本発明の一実施形態に係る魚釣用スピニングリールの全体構成を示す図。
【図２】スプールに装着されるドラグ機構の部分の構造を拡大して示す断面図。
【図３】制動部材の配置構成例を示す図。
【図４】ドラグ力とドラグ調節体の回転角の関係を示すグラフ。
【図５】本発明の第２の実施形態における制動部材の配置構成例を示す図。
【図６】本発明の第３の実施形態における制動部材の配置構成例を示す図。
【符号の説明】
【００４５】
１  魚釣用スピニングリール
２  リール本体
３  ロータ
５  スプール
７  ハンドル
９  スプール軸
１０  ドラグ機構
２０  調節体
２２  操作部
４０  制動部材
４５，４６  ライニング材
５１（５１Ａ），５２  相手材
【図１】
2006197890.tif 000003
【図２】
2006197890.tif 000004
【図３】
2006197890.tif 000005
【図４】
2006197890.tif 000006
【図５】
2006197890.tif 000007
【図６】
2006197890.tif 000008